(57)【要約】  【課題】電気製品等の部品は、製品ごとに使用する部品が異なる場合には、製品が量産されるよりもかなり前から部品の発注をしなければならず、リードタイムが長くなる等の問題があった。また、特定の製品に合わせて部品が設計されている場合には、在庫が余ったとしても他の製品に使用できず無駄となってしまう。  【解決手段】本発明は、中間製品を利用した製品である利用製品を製造する製造者に対して、特定の品質を満たす中間製品の供給者を決定するためのオークションシステムを提案する。信号処理回路基板などのような中間製品を標準化し、多くの利用製品で利用できるようにする。この仕様を中間製品のメーカーに開示し、競争入札により高品質でより安価な中間製品を供給するメーカーに発注を行なう。本発明に係るオークションシステムは、このような仕組みを実現するものである。【選択図】            図２
2006338207.tif 000002
【特許請求の範囲】
【請求項１】
中間製品を利用した製品である利用製品を製造する製造者に対して、特定の品質を満たす中間製品の供給者を決定するためのオークションシステムであって、オークション主催サーバ装置と、入札クライアント装置と、からなり、
オークション主催サーバ装置は、
中間製品の満たすべき品質を示す要求品質情報を入札クライアント装置に出力するための要求品質情報出力部と、
入札クライアント装置から、供給者が供給を約束する中間製品の品質情報である供給品質情報と、その供給品質情報で示される供給品質を満たして供給する中間製品の供給価格情報と、を含む情報である入札情報を取得する入札情報取得部と、
複数の入札クライアント装置から取得した入札情報を比較する比較部と、
を有し、
入札クライアント装置は、
オークション主催サーバ装置の要求品質情報出力部から出力される要求品質情報を取得して表示する要求品質情報取得表示部と、
入札情報の入力を受け付ける入札情報入力部と、
入札情報入力部にて取得された入札情報をオークション主催サーバ装置に対して出力する入札情報出力部と、
を有するオークションシステム。
【請求項２】
前記入札情報には、前記中間製品の納期を示す納期情報を含む請求項１に記載のオークションシステム。
【請求項３】
前記要求品質情報には、中間製品が満たすべき世界の各地域における規格を示す規格情報が含まれる請求項１又は２に記載のオークションシステム。
【請求項４】
前記要求品質情報は、中間製品の仕様を定める仕様情報を含む請求項１から３のいずれか一に記載のオークションシステム。
【請求項５】
前記仕様情報は、中間製品と入出力されるインターフェイス信号の満たすべき仕様情報を含む請求項４に記載のオークションシステム。
【請求項６】
前記オークション主催サーバ装置の前記比較部は、入札情報の供給価格情報に基づいて供給価格を比較する供給価格比較手段
を有する請求項１から５のいずれか一に記載のオークションシステム。
【請求項７】
前記オークション主催サーバ装置の前記比較部は、入札情報の供給品質情報に基づいて供給品質を比較する供給品質比較手段
を有する請求項１から６のいずれか一に記載のオークションシステム。
【請求項８】
前記供給品質比較手段は、入札情報に含まれる前記要求品質情報の規格情報に対応する情報ごとに、前記供給品質の比較をする地域別比較器
を有する請求項７に記載のオークションシステム。
【請求項９】
前記オークション主催サーバ装置の前記比較部は、入札情報の納期情報に基づいて納期を比較する納期比較手段
を有する請求項１から８のいずれか一に記載のオークションシステム。
【請求項１０】
前記オークション主催サーバ装置は、
前記比較部での比較結果に基づいて落札者を決定するための落札者決定部
を有する請求項１から９のいずれか一に記載のオークションシステム。
【請求項１１】
前記落札者決定部は、複数の落札者を決定する複数落札者決定手段を有する請求項１０に記載のオークションシステム。
【請求項１２】
前記中間製品と、前記利用製品との関係は、一種類の中間製品に対して、複数種類の利用製品が製造される関係にある請求項１から１１のいずれか一に記載のオークションシステム。
【請求項１３】
前記落札者決定部にて決定された落札者に対して、前記中間製品の発注処理を行なうための発注処理部を有する請求項１０又は１１に記載のオークションシステム。
【請求項１４】
中間製品を利用した製品である利用製品を製造する製造者に対して、特定の品質を満たす中間製品の供給者を決定するためのオークション方法であって、
中間製品の満たすべき品質を示す要求品質情報を出力する要求品質情報出力ステップと、
前記要求品質情報出力ステップにて出力される要求品質情報を取得して表示する要求品質情報取得表示ステップと、
供給者が供給を約束する中間製品の品質情報である供給品質情報と、その供給品質情報で示される供給品質を満たして供給する中間製品の供給価格情報と、を含む情報である入札情報の入力を受け付ける入札情報入力ステップと、
前記入札情報入力ステップにて取得された入札情報を出力する入札情報出力ステップと、
前記入札情報出力ステップにて出力される入札情報を取得する入札情報取得ステップと、
前記入札情報取得ステップにて取得した複数の入札情報を比較する比較ステップと、
を有するオークション方法。
【発明の詳細な説明】
【技術分野】
【０００１】
本発明は、中間製品を利用した製品を製造する製造者に対して、特定の品質を満たす中間製品の供給者を決定するためのオークションシステムに関する。
【背景技術】
【０００２】
近年、液晶テレビ等は急速に市場が拡大し、その一方では価格競争が激化している。また、日本国内の家電メーカーのみならず、外国の家電メーカーの日本への進出もめざましく、その価格競争も一層激しさを増している。このような状況においては、製造コストの削減、リードタイムの短縮、在庫数量の削減等を積極的に進める必要がある。また、このために、例えば特許文献１においては、プリント回路板の生産に関してリードタイムの短縮等を目的とした発明が開示されている。特許文献１に係る発明は、装置の受注に関する情報と、装置を構成している製品に使用する部品を示す情報とから必要な部品のリストを抽出し、使用する部品を部品の入出庫を管理する情報である部品情報と照合して自動で出庫予約及び発注を行なう生産方法とその装置に関するものである。
【特許文献１】特開平８−３２２０３号公報
【発明の開示】
【発明が解決しようとする課題】
【０００３】
しかしながら、製品ごとに使用する部品が異なる場合には、製品が量産される時期よりもかなり前から部品の発注をしなければならず、製品の開発から量産に至るまで相当の時間が必要であった。また、特定の製品に合わせて部品が設計されている場合には、在庫が余ったとしても他の製品に使用することもできず無駄となってしまう。
【課題を解決するための手段】
【０００４】
本発明は、この課題を解決するために、中間製品を利用した製品である利用製品を製造する製造者に対して、特定の品質を満たす中間製品の供給者を決定するためのオークションシステムを提案する。「中間製品」とは、他の製品の一部に利用される部品等を意味し、例えば、信号処理回路基板のように規格化しやすい部品等が想定される。「利用製品」とは、中間製品を自身の構成の一部として利用等する製品を意味し、例えば、最終的に市場のユーザが使用する完成製品等が想定される。
【０００５】
まず、従来は特定の製品に合わせて中間製品が設計され開発されていたが、信号処理回路基板などのように規格化しやすい中間製品を標準化し、多くの利用製品で利用できるようにする。この仕様を中間製品のメーカーに開示し、競争入札により高品質でより安価な中間製品を供給するメーカーに発注を行なう。本発明に係るオークションシステムは、このような競争入札を行なうための仕組みを実現するものである。このような仕組みにより、利用製品の開発のタイミングとは関係なく、中間製品をメーカーに開発させることが可能であり、適当なサイクルにおいて、より安価なメーカーの中間製品に変更する等が可能であるので、開発プロセスの短縮、在庫数量の削減、開発人員の削減、等により、コスト削減を実現できる。図１に本発明に係るオークションシステムの概念図を示す。オークションシステム（０１００）は、オークション主催サーバ装置（０１１０）と一以上の入札クライアント装置（０１２０）とから構成される。オークション主催サーバ装置（０１１０）は、入札クライアント装置（０１２０）に対して中間製品の満たすべき品質である要求品質情報を出力し、入札クライアント装置（０１２０）は、オークション主催サーバ装置（０１１０）に対して、供給を約束する中間製品の品質や価格等を示す入札情報を出力する。オークション主催サーバ装置（０１１０）は、一以上の入札クライアント装置（０１２０）から取得した入札情報を比較し、一番条件の良い中間製品を選択することができる。また、一般的なオークションにおいては主に価格のみが比較対象となるが、本発明に係るオークションシステムにおいては価格のみならず供給される中間製品の品質をも比較することが可能であるので、より良い品質の中間製品をより安価に入手することができる。
【発明の効果】
【０００６】
以上のように、本発明に係るオークションシステムにおいては、中間製品を規格化し、規格化した品質に関する情報を開示して競争入札を行なうことにより、中間製品を利用する利用製品の製造コストの削減、リードタイムの短縮、在庫数量の削減等を実現することができる。また、従来のオークションションシステムのように価格のみならず品質をも比較することが可能であり、より良い品質の安価な中間製品を入札により選択することが可能である。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２、３、４、５、１２、１４などについて説明する。実施形態２は、主に請求項６などについて説明する。実施形態３は、主に請求項７などについて説明する。実施形態４は、主に請求項８などについて説明する。実施形態５は、主に請求項９などについて説明する。実施形態６は、主に請求項１０などについて説明する。実施形態７は、主に請求項１１などについて説明する。実施形態８は、主に請求項１３などについて説明する。
（実施形態１）
【０００８】
（実施形態１：概要）本実施形態は、中間製品を利用した製品である利用製品を製造する製造者に対して、特定の品質を満たす中間製品の供給者を決定するためのオークションシステムに関する。
【０００９】
（実施形態１：構成）本実施形態に係るオークションシステムの機能ブロックを図２に例示する。オークションシステム（０２００）は、中間製品を利用した製品である利用製品を製造する製造者に対して、特定の品質を満たす中間製品の供給者を決定するためのシステムである。「中間製品」とは、他の製品の一部に利用される部品等を意味し、例えば、信号処理回路基板のように規格化しやすい部品等が想定される。「利用製品」とは、中間製品を自身の構成の一部として利用等する製品を意味し、例えば、最終的に市場のユーザが使用する完成製品等が想定される。また、前記中間製品と、前記利用製品との関係は、一種類の中間製品に対して、複数種類の利用製品が製造される関係にあってもよい。一種類の中間製品が複数種類の利用製品に利用されることにより、在庫数量の削減、開発コストの削減等に役立つと思われる。また、オークションシステム（０２００）は、オークション主催サーバ装置（０２１０）と、入札クライアント装置（０２２０）とからなる。前記オークション主催サーバ装置（０２１０）は、オークションを主催するための情報の処理を行なう装置である。主に、入札クライアント装置（０２２０）に対して中間製品の満たすべき品質を示す情報を出力する、入札クライアント装置（０２２０）から入札に関する情報を取得する、等の機能を有する。前記入札クライアント装置（０２２０）は、前記オークション主催サーバ装置（０２１０）から出力される品質に関する情報に対して、供給する中間製品の品質、価格等に関する情報をオークション主催サーバ装置（０２１０）に出力する等の機能を有する装置である。また、前記オークション主催サーバ装置（０２１０）と前記入札クライアント装置（０２２０）は、互いに通信を行なうが、この通信は公衆回線を使用してもよいし、非公衆回線を使用してもよい。通信方法は有線によってもよいし無線によってもよい。無線であれば、例えばＢｌｕｅｔｏｏｔｈ（登録商標）、赤外線などの不可視光線でもよいし、可視光線によってもよい。以下、オークション主催サーバ装置（０２１０）と入札クライアント装置（０２２０）の構成を説明する。
【００１０】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１１】
（実施形態１：オークション主催サーバ装置の構成）
【００１２】
オークション主催サーバ装置（０２１０）は、「要求品質情報出力部」（０２１１）と、「入札情報取得部」（０２１２）と、「比較部」（０２１３）とを有する。
【００１３】
「要求品質情報出力部」（０２１１）は、中間製品の満たすべき品質を示す要求品質情報を入札クライアント装置に出力するための機能を有する。「要求品質情報」とは、具体的には、中間製品が満たすべき世界の各地域における規格を示す規格情報、中間製品の仕様を定める仕様情報、等を含むことが想定される。即ち、要求品質情報出力部は、規格情報、仕様情報、等を含む要求品質情報を出力する機能を有する。図３に、要求品質情報の具体例を示す。「規格情報」とは、図３のように、世界の各地域によって必要とされる仕様が異なる場合に、世界の各地域における規格を示す情報である。「仕様情報」とは、主に基本となる仕様を示す情報である。例えば、図３に示すように、液晶パネルに関する規格、液晶コントローラ、信号処理、バックライト等に関する仕様が該当する。また、Ｓ／Ｎ比、待ち時間、など具体的な数値で示される仕様が含まれる場合もある。また、中間製品の消費電力値や環境度合などを示す情報を含んでいてもよい。例えば、中間製品に使用される各部材が鉛不使用のハンダを用いているか、ＰＣＢ不使用のものであるか、解体の容易さ、省エネルギー度、等が想定される。また、仕様情報は中間製品と入出力されるインターフェイス信号の満たすべき仕様情報を含んでいても良い。「インターフェイス信号の満たすべき仕様情報」とは、具体的には、操作端子、電源端子、信号端子、等の各端子のＩ／Ｏ、機能等を定めた情報である。また、要求品質情報は、中間製品の生産地域や納入可能先を示す情報がふくまれていてもよい。また、これらの要求品質情報は、必須とされる品質情報以外にも付加的な品質情報を示す情報を含んでいてもよい。「付加的な品質情報」とは、例えば、中間製品に必ずしも必要ではないが、備えていると便利な機能等を実現するための品質を示す情報である。付加的な品質情報も要求品質情報に含めて入札クライアント装置に出力し、入札クライアント装置は出力する入札情報（詳細は後述）に付加的な品質情報に対応する情報を含めることにより、より高品質な中間製品を選択することも可能となるからである。図４は、要求品質情報出力部の具体例を示す。要求品質情報出力部の具体的な処理としては、（１）ＲＡＭ、ＲＯＭ、ハードディスク（以下、「ＨＤＤ」と記述）などの記憶媒体上のメモリ領域から、要求品質情報を読出し、（２）読出した要求品質情報を出力信号に変換、（３）変換した出力信号を通信モデムやＬＡＮカード等の出力インターフェイスから出力、という処理となる。
【００１４】
「入札情報取得部」（０２１２）は、入札クライアント装置から、供給者が供給を約束する中間製品の品質情報である供給品質情報と、その供給品質情報で示される供給品質を満たして供給する中間製品の供給価格情報と、を含む情報である入札情報を取得する機能を有する。また、入札情報には、前記中間製品の納期を示す納期情報を含んでいてもよい。即ち、入札情報取得部は、供給品質情報、供給価格情報、納期情報、等を含む入札情報を取得する機能を有する。図５に、入札情報の具体例を示す。「供給品質情報」は、主に、前記要求品質情報出力部（０２１１）から出力される要求品質情報にて示される品質条件について、入札クライアント装置により入札を実行する中間製品の供給者がどの品質条件が供給可能であるかを示したものである。ここで、「品質条件」とは、図３に示すような要求品質情報の各項目ごとに定められている条件を指す。また、要求品質情報にて示されていない品質条件であっても、供給することが可能である付加的な品質情報を含んでいてもよい。これにより、オークション主催者は、より高品質な中間製品を選択することも可能となるからである。供給価格情報は、中間製品の価格が具体的な金額で示されることが想定されるが、一括払いであるか分割払いであるか、円建てであるかドル建てであるか、等の支払い条件を含んでいてもよい。また、中間製品に付加的な機能などがある場合には、付加される機能に応じた金額が複数示されてもよい。納期情報は、具体的な年月日や受注から納入までの期間で示されることが想定されるが、中間製品によっては、月単位、日単位で示される場合もあると思われる。また、供給価格情報と同様に、中間製品に付加的な機能などがある場合には、付加される機能に応じた納期が複数示されてもよい。また、供給品質情報と供給価格情報と納期情報は、同時に取得されてもよいし、別々に取得されてもよい。図６は、入札情報取得部の具体例を示す。入札情報取得部の具体的な処理としては、（１）通信モデムやＬＡＮカード等の入力インターフェイスから入力信号を受信、（２）受信した入力信号を変換して入札情報を取得、（３）取得した入札情報をＲＡＭ、ＲＯＭ、ＨＤＤなどの記憶媒体上のメモリ領域に書込み、という処理となる。
【００１５】
「比較部」（０２１３）は、複数の入札クライアント装置から取得した入札情報を比較する機能を有する。「複数」とは、一以上であることを意味する。比較する方法は、様々に想定される。例えば、供給品質情報については、必須の品質条件を満たすことは勿論であるが、他の付加的な品質条件をどれだけ満たしているか、消費電力値や環境度合をどれだけ満たしているか、等も比較対象としてもよい。また、納期情報、供給価格情報を比較してもよい。また、入札情報に含まれる全ての情報に基づいて比較してもよいが、一部の情報にのみ基づいて比較してもよい。例えば、供給価格情報だけを比較して、より安価な中間製品がより評価が高くなるようになっていてもよい。入札情報に含まれる複数の情報に基づいて比較する場合には、例えば、入札情報に含まれる品質条件等にそれぞれ点数を決めておき、合計点数が高い順に、より評価が高くなるような点数方式により比較されてもよい。図２５に点数方式により比較した場合を例示する。ただし、図２５に図示する入札情報は、入札情報の一部のみを一例として示している。入札情報取得部にて入札情報１、入札情報２という２つの入札情報が取得され、比較部においてこれらの入札情報を比較する。各項目の点数が配点表のような配点になっていたとすると、入札情報１の合計点数は１７点、入札情報２の合計点数は１６点となるため、入札情報１のほうが評価は高くなる。また、品質条件等に優先順位をつけることで優先順位の高い条件から順に比較していき、最終的に残った順に、より評価が高くなるような優先順位方式により比較されてもよい。図２６に優先順位方式により比較した場合を例示する。ただし、図２６に図示する入札情報は、入札情報の一部のみを一例として示している。入札情報取得部にて入札情報１、入札情報２という２つの入札情報が取得され、比較部においてこれらの入札情報を比較する。各項目が優先順位表のような優先順位（Ａ>Ｂ>Ｃ）になっていたとすると、まず優先順位Ａの音声Ｓ／Ｎ比を比較すると、入札情報２のほうが評価の高い数値であることが分かる。優先順位Ｂの映像Ｓ／Ｎ比や優先順位Ｃの待ち時間に関しては入札情報１のほうが高い数値を示しているが、比較結果としては優先順位Ａの値がより高い入札情報２の評価が高くなる。また、これらの比較条件は、オークション主催サーバ装置が別途、比較条件変更部のような比較条件を変更する機能を有することにより、入札が開催される度に変更することができるようになっていてもよい。例えば、オークション主催者の事業計画等に応じて、前記点数方式において品質条件等に付与する点数を変えたり、前記優先順位方式において優先順位を変えるようになっていてもよい。また、比較部における「比較結果」は、評価の高い順に中間製品を並べたような情報であってもよいし、一番評価の高い中間製品のみを示すような情報であってもよい。図７は、比較部の具体例を示す。比較部の具体的な処理としては、（１）ＲＡＭ、ＲＯＭ、ＨＤＤなどの記憶媒体上のメモリ領域から、複数の入札情報を読出し、（２）読出した複数の入札情報を比較し、比較結果を示す比較結果情報を生成、（３）生成した比較結果情報をＲＡＭ、ＲＯＭ、ＨＤＤなどの記憶媒体上のメモ���領域に書込み、という処理となる。
【００１６】
（実施形態１：入札クライアント装置の構成）
【００１７】
入札クライアント装置（０２２０）は、「要求品質情報取得表示部」（０２２１）と、「入札情報入力部」（０２２２）と、「入札情報出力部」（０２２３）とを有する。
【００１８】
「要求品質情報取得表示部」（０２２１）は、オークション主催サーバ装置の要求品質情報出力部（０２１１）から出力される要求品質情報を取得して表示する機能を有する。即ち、要求品質情報取得表示部は、要求品質情報を受信してディスプレイ等に表示するための処理機構全般を指す。また、取得した要求品質情報のすべてを表示することが想定されるが、一部のみを表示するようになっていてもよい。例えば、要求品質情報に品質条件等の項目と各項目についての詳細情報が含まれているような場合には、まず項目のみを表示してから、詳細情報ボタンを入札者がクリックするとさらに詳細情報が表示されるような場合も想定される。また、表示する際に入札者が見やすいように加工されてから表示されるようになっていてもよい。例えば、必須の品質条件等と付加的な品質条件等とが混在している場合には、必須の品質条件等を示す電子データと付加的な品質条件等を示す電子データを別々に分類してから表示するようになっているような場合も想定される。図８は、要求品質情報取得表示部の表示例を示す。入札クライアント装置のディスプレイ（０８１０）に要求品質情報が表示されるが、内容は主に図３における要求品質情報の内容の全部又は一部である。また、図８に例示のように、「入札情報入力画面へ」というボタンをクリック等すると後に詳述の入札情報入力部（０２２２）を実現する入札情報の入力画面等に移行するようになっていてもよいし、要求品質情報を表示すると同時に入札情報も入力できるようになっていてもよい。また、図９は、要求品質情報取得表示部の具体例を示す。要求品質情報取得表示部の具体的な処理としては、（１）通信モデムやＬＡＮカード等の入力インターフェイスから入力信号を受信、（２）受信した入力信号を変換して要求品質情報を取得、（３）取得した要求品質情報をＲＡＭ、ＲＯＭ、ＨＤＤなどの記憶媒体上のメモリ領域に書込み、（４）ＲＡＭ、ＲＯＭ、ＨＤＤなどの記憶媒体上のメモリ領域から要求品質情報を読出して、読出した要求品質情報を利用して画像出力用情報を生成、（５）、生成した画像出力用情報をグラフィックカードに出力し、グラフィックカードにて画像出力用情報をグラフィックメモリ等の画像用メモリに書込み、（６）画像用メモリから画像出力用情報を読出して、ディスプレイ出力信号に変換、（７）出力インターフェイスであるディスプレイに出力、という処理となる。
【００１９】
「入札情報入力部」（０２２２）は、入札情報の入力を受け付ける機能を有する。「入力を受け付ける」とは、入札クライアント装置のキーボード、マウス、タッチパネル等の入力インターフェイスを介して入力された入力信号を電子信号に変換するという意味である。また、入札情報は供給品質情報と供給価格情報とを含み、さらに納期情報を含む場合もあるが、これらの情報は同時に入力されてもよいし、別々に入力されてもよい。図１０は、入札情報入力部の実施例を示す。入札情報は、主に前記要求品質情報取得表示部（０２２１）で取得される要求品質情報に対応する情報であるが、図１０の「連絡事項」のように入札者が付加的な情報をも入力できるようになっていてもよい。また、入札情報は全ての情報を一度に入力せずとも、何回かに分けて入力できるようになっていてもよい。図１１は、入札情報入力部の具体例を示す。入札情報入力部の具体的な処理としては、（１）キーボード、マウス、タッチパネル等の入力インターフェイスから入力信号が入力される、（２）入力された入力信号を変換して入札情報を取得、（３）取得した入札情報をＲＡＭ、ＲＯＭ、ＨＤＤなどの記憶媒体上のメモリ領域に書込み、という処理となる。
【００２０】
「入札情報出力部」（０２２３）は、入札情報入力部（０２２２）にて取得された入札情報をオークション主催サーバ装置に対して出力する機能を有する。入札情報に含まれる供給品質情報と供給価格情報と納期情報は、一緒に出力されてもよいし別々に出力されるようになっていてもよい。図１２は、入札情報出力部の具体例を示す。入札情報出力部の具体的な処理としては、（１）ＲＡＭ、ＲＯＭ、ＨＤＤなどの記憶媒体上のメモリ領域から、入札情報を読出し、（２）読出した入札情報を出力信号に変換、（３）変換した出力信号を通信モデムやＬＡＮカード等の出力インターフェイスから出力、という処理となる。
【００２１】
（実施形態１：処理の流れ）図１３は、本実施形態に係るオークションシステムにおける処理の流れを示すシーケンス図を例示する。最初に、オークション主催サーバ装置にて、要求品質情報を入札クライアント装置に対して出力する。この処理は要求品質情報出力部によって実行される（要求品質情報出力ステップ  Ｓ１３１０）。次に、前記要求品質情報出力ステップ（Ｓ１３１０）にて出力された要求品質情報を入札クライアント装置にて取得する。この処理は要求品質情報取得表示部によって実行される（要求品質情報取得ステップ  Ｓ１３２０）。次に、前記要求品質情報取得ステップ（Ｓ１３２０）にて取得した要求品質情報を表示する。この処理は要求品質情報取得表示部によって実行される（要求品質情報表示ステップ  Ｓ１３３０）。次に、入札情報を入力する。この処理は入札情報入力部によって実行される（入札情報入力ステップ  Ｓ１３４０）。次に、前記入札情報入力ステップ（Ｓ１３４０）にて入力された入札情報をオークション主催サーバ装置に対して出力する。この処理は入札情報出力部によって実行される（入札情報出力ステップ  Ｓ１３５０）。次に、前記入札情報出力ステップ（Ｓ１３５０）にて出力された入札情報をオークション主催サーバ装置にて取得する。この処理は入札情報取得部によって実行される（入札情報取得ステップ  Ｓ１３６０）。最後に、前記入札情報取得ステップ（Ｓ１３６０）にて取得された入札情報を比較する。この処理は比較部によって実行される（比較ステップ  Ｓ１３７０）。
【００２２】
（実施形態１：効果）本実施形態に係るオークションシステムは、中間製品を利用した製品である利用製品を製造する製造者に対して、特定の品質を満たす中間製品の供給者を決定するための機能を有する。これにより、中間製品を規格化し、規格化した品質に関する情報を開示して競争入札を行なうことにより、中間製品を利用した利用製品の製造コストの削減、リードタイムの短縮、在庫数量の削減等を実現することができる。また、従来のオークションションシステムのように価格のみを比較するにとどまらず品質等をも比較することが可能であり、より良い品質の安価な中間製品を入札により選択することが可能となる。
（実施形態２）
【００２３】
（実施形態２：概要）本実施形態は、実施形態１に係るオークションシステムの機能に加え、オークション主催サーバ装置の比較部は、入札情報の供給価格情報に基づいて供給価格を比較する機能を有するオークションシステムに関する。
【００２４】
（実施形態２：構成）本実施形態に係るオークションシステムは、実施形態１と同様、オークション主催サーバ装置と入札クライアント装置とから構成される。入札クライアント装置の構成は、実施形態１に係る入札クライアント装置の構成と同様である。本実施形態に係るオークション主催サーバ装置の機能ブロックを図１４に例示する。オークション主催サーバ装置（１４１０）の構成は、実施形態１に係るオークション主催サーバ装置の構成に「供給価格比較手段」（１４１４）を加えた構成となっている。前記供給価格比較手段（１４１４）は、比較部（１４１３）に含まれる。
【００２５】
「供給価格比較手段」（１４１４）は、入札情報の供給価格情報に基づいて供給価格を比較する機能を有する。通常は、供給価格情報にて示される供給価格が安価である順に中間製品を並べた情報等が比較結果として出力されることが想定されるが、支払い条件等も考慮して比較されてもよい。また、中間製品に付加的な機能などがある場合には、供給価格情報に付加される機能に応じた供給価格が複数含まれている場合もある。このような場合には、同じ機能が付加される場合の中間製品の供給価格同士を比較することが想定される。供給価格比較手段の具体的な処理としては、図７において説明の比較部の処理と同様である。ただし、図７（２）の比較処理において、供給価格情報を比較することを特徴とする。
【００２６】
（実施形態２：処理の流れ）本実施形態に係るオークションシステムにおける処理の流れは、実施形態１に係るオークションシステムにおける処理の流れと同様である。ただし、前記比較ステップにおいて入札情報を比較する際に、入札情報の供給価格情報に基づいて供給価格を比較することを特徴とする。
【００２７】
（実施形態２：効果）本実施形態に係るオークションシステムは、実施形態１に係るオークションシステムの機能に加えて、オークション主催サーバ装置の比較部は、入札情報の供給価格情報に基づいて供給価格を比較する機能を有する。これにより、一番安価な中間製品を選択することが可能となる。
（実施形態３）
【００２８】
（実施形態３：概要）本実施形態は、実施形態１又は２に係るオークションシステムの機能に加え、オークション主催サーバ装置の比較部は、入札情報の供給品質情報に基づいて供給品質を比較する機能を有するオークションシステムに関する。
【００２９】
（実施形態３：構成）本実施形態に係るオークションシステムは、実施形態１又は２と同様、オークション主催サーバ装置と入札クライアント装置とから構成される。入札クライアント装置の構成は、実施形態１又は２に係る入札クライアント装置の構成と同様である。本実施形態に係るオークション主催サーバ装置の機能ブロックを図１５に例示する。オークション主催サーバ装置（１５１０）の構成は、実施形態１又は２に係るオークション主催サーバ装置の構成に「供給品質比較手段」（１５１５）を加えた構成となっている。図１５においては、実施形態２に説明のオークションシステムの構成に前記供給品質比較手段（１５１５）を加えた構成を例示している。前記供給品質比較手段（１５１５）は、比較部（１５１３）に含まれる。
【００３０】
「供給品質比較手段」（１５１５）は、入札情報の供給品質情報に基づいて供給品質を比較する機能を有する。通常は、供給品質情報にて示される供給品質が高い順に中間製品を並べた情報等が比較結果として出力されることが想定される。具体的な比較方法としては、様々な方法が考えられるが、例えば、入札情報に含まれる品質条件等にそれぞれ点数を決めておき、合計点数が一番良い中間製品を示す情報等が比較結果として出力されてもよい。また、品質条件等に優先順位をつけることで優先順位の高い条件から順に比較していき、最終的に残った中間製品を示す情報が比較結果として出力されてもよい。また、これらの比較条件は、入札が開催される度に変更することができるようになっていてもよい。供給品質比較手段の具体的な処理としては、図７において説明の比較部の処理と同様である。ただし、図７（２）の比較処理において、供給品質情報を比較することを特徴とする。
【００３１】
（実施形態３：処理の流れ）本実施形態に係るオークションシステムにおける処理の流れは、実施形態１又は２に係るオークションシステムにおける処理の流れと同様である。ただし、前記比較ステップにおいて入札情報を比較する際に、入札情報の供給品質情報に基づいて供給品質を比較することを特徴とする。
【００３２】
（実施形態３：効果）本実施形態に係るオークションシステムは、実施形態１又は２に係るオークションシステムの機能に加えて、オークション主催サーバ装置の比較部は、入札情報の供給品質情報に基づいて供給品質を比較する機能を有する。これにより、一番高品質な中間製品を選択することが可能となる。
（実施形態４）
【００３３】
（実施形態４：概要）本実施形態は、実施形態３に係るオークションシステムの機能に加え、オークション主催サーバ装置の供給品質比較手段は、入札情報に含まれる前記要求品質情報の規格情報に対応する情報ごとに、前記供給品質の比較をする機能を有するオークションシステムに関する。
【００３４】
（実施形態４：構成）本実施形態に係るオークションシステムは、実施形態３と同様、オークション主催サーバ装置と入札クライアント装置とから構成される。入札クライアント装置の構成は、実施形態３に係る入札クライアント装置の構成と同様である。本実施形態に係るオークション主催サーバ装置の機能ブロックを図１６に例示する。オークション主催サーバ装置（１６１０）の構成は、実施形態３に係るオークション主催サーバ装置の構成に「地域別比較器」（１６１６）を加えた構成となっている。前記地域別比較器（１６１６）は、供給品質比較手段（１６１５）に含まれる。
【００３５】
「地域別比較器」（１６１６）は、入札情報に含まれる前記要求品質情報の規格情報に対応する情報ごとに、前記供給品質の比較をする機能を有する。「前記要求品質情報の規格情報に対応する情報」とは、図３に例示するような規格情報に対して、入札者が供給する中間製品によってどの品質条件を満たすことが可能であるかを示す情報である。具体的には、図５の供給品質情報の一部に例示されているような世界の各地域における供給品質情報である。地域別比較器の特徴としては、地域ごとに品質条件を比較して一番高品質な中間製品を選択することができることである。具体的な比較方法としては、様々な方法が考えられるが、例えば、入札情報に含まれる品質条件等にそれぞれ点数を決めておき、地域ごとに合計点数が一番良い中間製品を示す情報等が比較結果として出力されてもよい。また、品質条件等に優先順位をつけることで優先順位の高い条件から順に各地域ごとに比較していき、最終的に残った中間製品を示す情報等が比較結果として出力されてもよい。また、これらの比較条件は、入札が開催される度に変更することができるようになっていてもよい。地域別比較器の具体的な処理としては、図７において説明の比較部の処理と同様である。ただし、図７（２）の比較処理において、供給品質情報の規格情報の対応する情報ごとに供給品質の比較をすることを特徴とする。
【００３６】
（実施形態４：処理の流れ）本実施形態に係るオークションシステムにおける処理の流れは、実施形態３に係るオークションシステムにおける処理の流れと同様である。ただし、前記比較ステップにおいて入札情報を比較する際に、入札情報に含まれる前記要求品質情報の規格情報に対応する情報ごとに、前記供給品質の比較をすることを特徴とする。
【００３７】
（実施形態４：効果）本実施形態に係るオークションシステムは、実施形態３に係るオークションシステムの機能に加えて、オークション主催サーバ装置の供給品質比較手段は、入札情報に含まれる前記要求品質情報の規格情報に対応する情報ごとに、前記供給品質の比較をする機能を有する。これにより、地域ごとに一番高品質な中間製品を選択することが可能となる。
（実施形態５）
【００３８】
（実施形態５：概要）本実施形態は、実施形態１から４のいずれか一に係るオークションシステムの機能に加え、オークション主催サーバ装置の比較部は、入札情報の納期情報に基づいて納期を比較する機能を有するオークションシステムに関する。
【００３９】
（実施形態５：構成）本実施形態に係るオークションシステムは、実施形態１から４と同様、オークション主催サーバ装置と入札クライアント装置とから構成される。入札クライアント装置の構成は、実施形態１から４のいずれか一に係る入札クライアント装置の構成と同様である。本実施形態に係るオークション主催サーバ装置の機能ブロックを図１７
に例示する。オークション主催サーバ装置（１７１０）の構成は、実施形態１から４のいずれか一に係るオークション主催サーバ装置の構成に「納期比較手段」（１７１７）を加えた構成となっている。図１７においては、実施形態４に説明のオークションシステムの構成に前記納期比較手段（１７１７）を加えた構成を例示している。前記納期比較手段（１７１７）は、比較部（１７１３）に含まれる。
【００４０】
「納期比較手段」（１７１７）は、入札情報の納期情報に基づいて納期を比較する機能を有する。通常は、納期情報にて示される納期が早い順に中間製品を並べた情報等が比較結果として出力されることが想定される。「納期が早い」とは、納期年月日が直近であるという意味である場合と、受注してから納入までの期間が短いという意味である場合が想定される。図２７に納期比較手段における比較例を示す。ただし、図２７に図示する入札情報は、入札情報の一部である納期情報のみを一例として示している。また、納期情報には納期年月日が示されているとする。入札情報取得部にて入札情報１、入札情報２という２つの入札情報が取得され、納期比較手段においてこれらの入札情報の納期情報に基づいて納期を比較すると、納期情報１の納期のほうが早いので、納期情報１のほうが評価は高くなる。また、中間製品に付加的な機能などがある場合には、納期情報に付加される機能に応じた納期が複数含まれている場合もある。このような場合には、同じ機能が付加される場合の中間製品の納期同士を比較することが想定される。納期比較手段の具体的な処理としては、図７において説明の比較部の処理と同様である。ただし、図７（２）の比較処理において、納期情報に基づいて納期を比較することを特徴とする。
【００４１】
（実施形態５：処理の流れ）本実施形態に係るオークションシステムにおける処理の流れは、実施形態１から４のいずれか一に係るオークションシステムにおける処理の流れと同様である。ただし、前記比較ステップにおいて入札情報を比較する際に、入札情報の納期情報に基づいて納期を比較することを特徴とする。
【００４２】
（実施形態５：効果）本実施形態に係るオークションシステムは、実施形態１から４のいずれか一に係るオークションシステムの機能に加えて、オークション主催サーバ装置の供給品質比較手段は、入札情報の納期情報に基づいて納期を比較する機能を有する。これにより、一番納期の早い中間製品を選択することが可能となる。
（実施形態６）
【００４３】
（実施形態６：概要）本実施形態は、実施形態１から５のいずれか一に係るオークションシステムの機能に加え、オークション主催サーバ装置は、比較部での比較結果に基づいて落札者を決定するための機能を有するオークションシステムに関する。
【００４４】
（実施形態６：構成）本実施形態に係るオークションシステムは、実施形態１から５と同様、オークション主催サーバ装置と入札クライアント装置とから構成される。入札クライアント装置の構成は、実施形態１から５のいずれか一に係る入札クライアント装置の構成と同様である。本実施形態に係るオークション主催サーバ装置の機能ブロックを図１８
に例示する。オークション主催サーバ装置（１８１０）の構成は、実施形態１から５のいずれか一に係るオークション主催サーバ装置の構成に「落札者決定部」（１８１８）を加えた構成となっている。図１８においては、実施形態５に説明のオークションシステムの構成に前記落札者決定部（１８１８）を加えた構成を例示している。
【００４５】
「落札者決定部」（１８１８）は、前記比較部（１８１３）での比較結果に基づいて落札者を決定するための機能を有する。前記比較結果が比較の際の比較条件において評価の高い順に番号が付与されているような情報であれば、一番評価の高い中間製品の製造者が落札者になると思われる。例えば、入札情報に含まれる品質条件等にそれぞれ点数を決めておき、合計点数が高い順に中間製品を並べた情報等が比較結果として出力されるような場合である。また、前記比較結果が比較の際の比較条件において最良と評価される中間製品を示す情報であれば、その中間製品の製造者が落札者となると想定される。例えば、品質条件等に優先順位をつけることで優先順位の高い条件から順に比較していき、最終的に残った中間製品を示す情報が比較結果として出力されるような場合である。また、これらの比較条件は事業計画等に応じて変更される場合も考えられるため、同時に落札者も事業計画等に応じて変わる場合があると思われる。図１９は、落札者決定部の具体例を示す。落札者決定部の具体的な処理としては、（１）ＲＡＭ、ＲＯＭ、ＨＤＤなどの記憶媒体上のメモリ領域から、比較結果情報を読出し、（２）読出した比較結果情報より落札者を決定し、落札者を示す落札者情報を生成、（３）生成した落札者情報をＲＡＭ、ＲＯＭ、ＨＤＤなどの記憶媒体上のメモリ領域に書込み、という処理となる。
【００４６】
（実施形態６：処理の流れ）図２０は、本実施形態に係るオークションシステムにおける処理の流れを示すシーケンス図を例示する。最初に、オークション主催サーバ装置にて、要求品質情報を入札クライアント装置に対して出力する。この処理は要求品質情報出力部によって実行される（要求品質情報出力ステップ  Ｓ２０１０）。次に、前記要求品質情報出力ステップ（Ｓ２０１０）にて出力された要求品質情報を入札クライアント装置にて取得する。この処理は要求品質情報取得表示部によって実行される（要求品質情報取得ステップ  Ｓ２０２０）。次に、前記要求品質情報取得ステップ（Ｓ２０２０）にて取得した要求品質情報を表示する。この処理は要求品質情報取得表示部によって実行される（要求品質情報表示ステップ  Ｓ２０３０）。次に、入札情報を入力する。この処理は入札情報入力部によって実行される（入札情報入力ステップ  Ｓ２０４０）。次に、前記入札情報入力ステップ（Ｓ２０４０）にて入力された入札情報をオークション主催サーバ装置に対して出力する。この処理は入札情報出力部によって実行される（入札情報出力ステップ  Ｓ２０５０）。次に、前記入札情報出力ステップ（Ｓ２０５０）にて出力された入札情報をオークション主催サーバ装置にて取得する。この処理は入札情報取得部によって実行される（入札情報取得ステップ  Ｓ２０６０）。次に、前記入札情報取得ステップ（Ｓ２０６０）にて取得された入札情報を比較する。この処理は比較部によって実行される（比較ステップ  Ｓ２０７０）。最後に、前記比較ステップ（Ｓ２０７０）での比較結果に基づいて落札者を決定する。この処理は落札者決定部によって実行される（落札者決定ステップ  Ｓ２０８０）。
【００４７】
（実施形態６：効果）本実施形態に係るオークションシステムは、実施形態１から５のいずれか一に係るオークションシステムの機能に加えて、オークション主催サーバ装置は、比較部での比較結果に基づいて落札者を決定するための機能を有する。これにより、比較結果により最良とされる中間製品の製造者を落札者として決定する等が可能である。
（実施形態７）
【００４８】
（実施形態７：概要）本実施形態は、実施形態６に係るオークションシステムの機能に加え、オークション主催サーバ装置の落札者決定部は、複数の落札者を決定する機能を有するオークションシステムに関する。
【００４９】
（実施形態７：構成）本実施形態に係るオークションシステムは、実施形態６と同様、オークション主催サーバ装置と入札クライアント装置とから構成される。入札クライアント装置の構成は、実施形態６に係る入札クライアント装置の構成と同様である。本実施形態に係るオークション主催サーバ装置の機能ブロックを図２１に例示する。オークション主催サーバ装置（２１１０）の構成は、実施形態６に係るオークション主催サーバ装置の構成に「複数落札者決定手段」（２１１９）を加えた構成となっている。前記複数落札者決定手段（２１１９）は、落札者決定部（２１１８）に含まれる。
【００５０】
「複数落札者決定手段」（２１１９）は、複数の落札者を決定する機能を有する。この機能は、特に実施形態４にて説明のように、入札情報に含まれる要求品質情報の規格情報に対応する情報ごとに前記供給品質の比較をする場合に効果を奏する。なぜならば、規格情報は中間製品が満たすべき世界の各地域における規格を示す情報であるので、各地域に応じた品質を有する中間製品ごとに落札者を決定することが可能だからである。また、一地域において複数の落札者が決定されてもよい。複数の落札者を決定することにより、複数の製造者から中間製品を供給させることが可能となるため、その地域における中間製品の供給の安定化を図ることができる。また、中間製品に付加的な機能などがある場合には、付加される機能の組み合わせごとに落札者が決定されるような場合も想定される。複数落札者決定手段の具体的な処理としては、図１９において説明の落札者決定部の処理と同様である。ただし、図１９（２）の落札者決定処理において、複数の落札者を決定することを特徴とする。
【００５１】
（実施形態７：処理の流れ）本実施形態に係るオークションシステムにおける処理の流れは、実施形態６に係るオークションシステムにおける処理の流れと同様である。ただし、前記落札者決定ステップにおいて落札者を決定する際に、複数の落札者を決定することを特徴とする。
【００５２】
（実施形態７：効果）本実施形態に係るオークションシステムは、実施形態６に係るオークションシステムの機能に加えて、オークション主催サーバ装置の落札者決定部は、複数の落札者を決定する機能を有する。これにより、例えば、世界の各地域における規格が違う場合等のように、必要とされる中間製品の品質条件の組み合わせが複数想定される場合等には、品質条件の組み合わせごとに落札者を決定する等が可能となる。
（実施形態８）
【００５３】
（実施形態８：概要）本実施形態は、実施形態６又は７に係るオークションシステムの機能に加え、オークション主催サーバ装置の落札者決定部にて決定された落札者に対して、前記中間製品の発注処理を行なうための機能を有するオークションシステムに関する。
【００５４】
（実施形態８：構成）本実施形態に係るオークションシステムは、実施形態６又は７と同様、オークション主催サーバ装置と入札クライアント装置とから構成される。入札クライアント装置の構成は、実施形態６又は７に係る入札クライアント装置の構成と同様である。本実施形態に係るオークション主催サーバ装置の機能ブロックを図２２に例示する。オークション主催サーバ装置（２２１０）の構成は、実施形態６又は７に係るオークション主催サーバ装置の構成に「発注処理部」（２２２０）を加えた構成となっている。図２２においては、実施形態７に説明のオークションシステムの構成に前記発注処理部（２２２０）を加えた構成を例示している。
【００５５】
「発注処理部」（２２２０）は、前記落札者決定部（２２１８）にて決定された落札者に対して、前記中間製品の発注処理を行なうための機能を有する。「発注処理」とは、落札者に対して発注伝票を作成し、送付する等の処理全般を意味する。図２３は、発注処理部の具体例を示す。発注処理部の具体的な処理としては、（１）ＲＡＭ、ＲＯＭ、ＨＤＤなどの記憶媒体上のメモリ領域から、落札者情報と落札者の入札情報を読出し、（２）必要に応じて付加すべき情報がシステムを使用する発注者によってキーボード、マウス、タッチパネル等の入力インターフェイスを介して入力され、（３）読出した落札者情報と落札者の入札情報と、入力された付加情報とが、発注伝票作成のソフトウェアやＥＤＩ（Ｅｌｅｃｔｒｏｎｉｃ  Ｄａｔａ  Ｉｎｔｅｒｃｈａｎｇｅ）等のシステムに入力され、落札者に中間製品を発注するための発注情報を生成、（４）生成された発注情報を出力信号に変換、（５）変換した出力信号を通信モデムやＬＡＮカード等の出力インターフェイスから出力、という処理となる。
【００５６】
（実施形態８：処理の流れ）図２４は、本実施形態に係るオークションシステムにおける処理の流れを示すシーケンス図を例示する。最初に、オークション主催サーバ装置にて、要求品質情報を入札クライアント装置に対して出力する。この処理は要求品質情報出力部によって実行される（要求品質情報出力ステップ  Ｓ２４１０）。次に、前記要求品質情報出力ステップ（Ｓ２４１０）にて出力された要求品質情報を入札クライアント装置にて取得する。この処理は要求品質情報取得表示部によって実行される（要求品質情報取得ステップ  Ｓ２４２０）。次に、前記要求品質情報取得ステップ（Ｓ２４２０）にて取得した要求品質情報を表示する。この処理は要求品質情報取得表示部によって実行される（要求品質情報表示ステップ  Ｓ２４３０）。次に、入札情報を入力する。この処理は入札情報入力部によって実行される（入札情報入力ステップ  Ｓ２４４０）。次に、前記入札情報入力ステップ（Ｓ２４４０）にて入力された入札情報をオークション主催サーバ装置に対して出力する。この処理は入札情報出力部によって実行される（入札情報出力ステップ  Ｓ２４５０）。次に、前記入札情報出力ステップ（Ｓ２４５０）にて出力された入札情報をオークション主催サーバ装置にて取得する。この処理は入札情報取得部によって実行される（入札情報取得ステップ  Ｓ２４６０）。次に、前記入札情報取得ステップ（Ｓ２４６０）にて取得された入札情報を比較する。この処理は比較部によって実行される（比較ステップ  Ｓ２４７０）。次に、前記比較ステップ（Ｓ２４７０）での比較結果に基づいて落札者を決定する。この処理は落札者決定部によって実行される（落札者決定ステップ  Ｓ２４８０）。最後に、前記落札者決定ステップ（Ｓ２４８０）にて決定された落札者に対して、前記中間製品の発注処理を行なう。この処理は発注処理部によって実行される（発注処理ステップ  Ｓ２４９０）。
【００５７】
（実施形態８：効果）本実施形態に係るオークションシステムは、実施形態６又は７に係るオークションシステムの機能に加えて、オークション主催サーバ装置の落札者決定部にて決定された落札者に対して、前記中間製品の発注処理を行なうための機能を有する。これにより、高品質で安価な中間製品を発注することが可能である。
【図面の簡単な説明】
【００５８】
【図１】本発明に係るオークションシステムの概念図
【図２】実施形態１に係るオークションシステムの機能ブロック図
【図３】要求品質情報の具体例
【図４】要求品質情報出力部の具体例
【図５】入札情報の具体例
【図６】入札情報取得部の具体例
【図７】比較部の具体例
【図８】要求品質情報取得表示部の表示例
【図９】要求品質情報取得表示部の具体例
【図１０】入札情報入力部の実施例
【図１１】入札情報入力部の具体例
【図１２】入札情報出力部の具体例
【図１３】実施形態１に係るオークションシステムの処理の流れを示すシーケンス図
【図１４】実施形態２に係るオークションシステムの機能ブロック図
【図１５】実施形態３に係るオークションシステムの機能ブロック図
【図１６】実施形態４に係るオークションシステムの機能ブロック図
【図１７】実施形態５に係るオークションシステムの機能ブロック図
【図１８】実施形態６に係るオークションシステムの機能ブロック図
【図１９】落札者決定部の具体例
【図２０】実施形態６に係るオークションシステムの処理の流れを示すシーケンス図
【図２１】実施形態７に係るオークションシステムの機能ブロック図
【図２２】実施形態８に係るオークションシステムの機能ブロック図
【図２３】発注処理部の具体例
【図２４】実施形態８に係るオークションシステムの処理の流れを示すシーケンス図
【図２５】比較部の比較例
【図２６】比較部の比較例
【図２７】納期比較手段の比較例
【符号の説明】
【００５９】
０２００    オークションシステム
０２１０    オークション主催サーバ装置
０２１１    要求品質情報出力部
０２１２    入札情報取得部
０２１３    比較部
０２２０    入札クライアント装置
０２２１    要求品質情報取得表示部
０２２２    入札情報入力部
０２２３    入札情報出力部
【図１】
2006338207.tif 000003
【図２】
2006338207.tif 000004
【図３】
2006338207.tif 000005
【図４】
2006338207.tif 000006
【図５】
2006338207.tif 000007
【図６】
2006338207.tif 000008
【図７】
2006338207.tif 000009
【図８】
2006338207.tif 000010
【図９】
2006338207.tif 000011
【図１０】
2006338207.tif 000012
【図１１】
2006338207.tif 000013
【図１２】
2006338207.tif 000014
【図１３】
2006338207.tif 000015
【図１４】
2006338207.tif 000016
【図１５】
2006338207.tif 000017
【図１６】
2006338207.tif 000018
【図１７】
2006338207.tif 000019
【図１８】
2006338207.tif 000020
【図１９】
2006338207.tif 000021
【図２０】
2006338207.tif 000022
【図２１】
2006338207.tif 000023
【図２２】
2006338207.tif 000024
【図２３】
2006338207.tif 000025
【図２４】
2006338207.tif 000026
【図２５】
2006338207.tif 000027
【図２６】
2006338207.tif 000028
【図２７】
2006338207.tif 000029